(57)【要約】【課題】  遊技盤の設計自由度を向上させることができるパチンコ機（弾球遊技機）の施錠装置を提供する。【解決手段】  本発明では、外枠１と、外枠１の左側部に支持された状態で外枠１の前面に開閉可能に取り付けられ、遊技盤１０を収容保持する前枠２と、前枠２の左側部に支持された状態で前枠２の前面に開閉可能に取り付けられ、閉鎖状態において遊技盤１０を視認可能なガラス扉５とを備え、前枠２を外枠１に対し閉鎖状態で施錠するとともに、ガラス扉５を前枠２に対し閉鎖状態で施錠することができるように構成されたパチンコ機ＰＭの施錠装置５０において、鍵を差し込んで回動させることが可能な鍵穴部６１を備え、鍵穴部６１に鍵を差し込んで一方に回動させると前枠２が解錠され、他方に回動させるとガラス扉５が解錠されるように構成されており、鍵穴部１０が前枠２の右側部側でガラス扉５の下方に位置して配設される。【選択図】  図１
2006181003.tif 000002
【特許請求の範囲】
【請求項１】
外枠と、前記外枠の一方の側部に支持された状態で前記外枠の前面に開閉可能に取り付けられ、遊技盤を収容保持する前枠と、前記前枠の一方の側部に支持された状態で前記前枠の前面に開閉可能に取り付けられ、閉鎖状態において遊技盤を視認可能なガラス扉とを備え、前記前枠を前記外枠に対し閉鎖状態で施錠するとともに、前記ガラス扉を前記前枠に対し閉鎖状態で施錠することができるように構成された弾球遊技機の施錠装置において、
鍵を差し込んで回動させることが可能な鍵穴部を備え、
前記鍵穴部に前記鍵を差し込んで一方に回動させると前記前枠が解錠され、他方に回動させると前記ガラス扉が解錠されるように構成されており、
前記鍵穴部が前記前枠の他方の側部側で前記ガラス扉の下方に位置して配設されることを特徴とする弾球遊技機の施錠装置。
【発明の詳細な説明】
【技術分野】
【０００１】
本発明は、パチンコ機に代表される弾球遊技機の施錠装置に関する。
【背景技術】
【０００２】
弾球遊技機の代表例であるパチンコ機では、固定保持枠をなす外枠に、遊技盤を収容保持する前枠が開閉可能に支持される。遊技盤の前面には、遊技釘や入賞装置等が配設された遊技領域が形成されている。前枠の前面上部にはガラス扉が開閉可能に支持され、前枠に収容保持された遊技盤（遊技領域）がこのガラス扉を通して視認されるようになっている。
【０００３】
また、前枠は、パチンコ機の右側に設けられた施錠装置を用いて、常には外枠と係合連結された閉止状態に保持される。さらに、ガラス扉は、上述の施錠装置を用いて、常には前枠の前面を覆う閉止状態に保持される。このダブル錠と称される施錠装置は、ガラス扉の右側に設けられて鍵を差し込むことが可能な鍵穴部を有して構成されており、鍵穴部に鍵を差し込んで一方に回動させると前枠が解錠され、他方に回動させるとガラス扉が解錠されるようになっている（例えば、特許文献１を参照）。
【特許文献１】特開２００２−１５９７１１号公報
【発明の開示】
【発明が解決しようとする課題】
【０００４】
ところで、近年、さらなる遊技性および演出性の向上のため、遊技領域を拡大したいという要望がある。しかしながら、従来のパチンコ機においては、ガラス扉に施錠装置の鍵穴部が設けられているため、遊技盤（遊技領域）を設計する上で障害となっていた。
【０００５】
本発明は、このような問題に鑑みて成されたものであり、遊技盤の設計自由度を向上させることができる弾球遊技機の施錠装置を提供することを目的とする。
【課題を解決するための手段】
【０００６】
このような目的達成のため、本発明では、外枠と、外枠の一方の側部に支持された状態で外枠の前面に開閉可能に取り付けられ、遊技盤を収容保持する前枠と、前枠の一方の側部に支持された状態で前枠の前面に開閉可能に取り付けられ、閉鎖状態において遊技盤を視認可能なガラス扉とを備え、前枠を外枠に対し閉鎖状態で施錠するとともに、ガラス扉を前枠に対し閉鎖状態で施錠することができるように構成された弾球遊技機（例えば、実施形態におけるパチンコ機ＰＭ）の施錠装置において、鍵を差し込んで回動させることが可能な鍵穴部を備え、鍵穴部に鍵を差し込んで一方に回動させると前枠が解錠され、他方に回動させるとガラス扉が解錠されるように構成されており、鍵穴部が前枠の他方の側部側でガラス扉の下方に位置して配設される。
【発明の効果】
【０００７】
本発明によれば、鍵穴部がガラス扉の下方に位置して配設されるため、ガラス扉の後方に位置する遊技盤（遊技領域）を従来のものより拡大することが可能となり、遊技盤の設計自由度を向上させることができる。
【発明を実施するための最良の形態】
【０００８】
以下、本発明の好ましい実施形態について図面を参照しながら説明する。本発明に係る施錠装置を備えた弾球遊技機の代表例としてパチンコ機ＰＭを図１〜図３に示しており、まず、これらの図面を参照しながらパチンコ機ＰＭの全体構成について要約説明する。ここで、図１はパチンコ機ＰＭを正面側から見た斜視図、図２はパチンコ機ＰＭのガラス扉および上球皿を開放して示す斜視図、そして図３はパチンコ機ＰＭの前枠を外枠に対して開放した状態を示す斜視図である。
【０００９】
パチンコ機ＰＭは、図１に示すように、外郭方形枠サイズに構成されて縦向きの固定保持枠をなす外枠１と、これに合わせた方形枠サイズに構成された開閉搭載用の前枠２とを主体に構成される。前枠２は、外枠１および前枠２の正面左側上下に配設されたヒンジ機構３ａ，３ｂにより外枠１の左側部に支持された状態で、外枠１の開口前面に対し前方に横開き開閉及び着脱が可能に取り付けられ、正面右側に設けられたダブル錠と称される施錠装置５０を利用して常には外枠１と係合連結された閉止状態に保持される。
【００１０】
前枠２の前面（表面）上部側には、透明アクリル板やガラス板を有したガラス扉５が左端部のヒンジ（図示せず）により前枠２の左側部に支持された状態で横開きおよび着脱が自在に取り付けられ、施錠装置５０により常には前枠２の前面を覆う閉止状態に保持される。ガラス扉５の背後に位置する前枠上部には、遊技盤１０を着脱自在に収容する収容枠（図示せず）が設けられており、この収容枠に立設姿勢で係止保持された遊技盤１０がガラス扉５を通して視認されるようになっている。また、前枠２の前面上部における左右には、スピーカ２１がそれぞれ配設されている。
【００１１】
遊技盤１０は、所定板厚の積層合板の表面にセルを貼り付けてルーター加工した化粧板を基板とし、円弧状のレール１１等に囲まれて略円形状の遊技領域ＰＡが形成されている。遊技領域ＰＡには、多数本の遊技釘や風車（図示せず）とともに各種入賞装置（図示せず）等の遊技構成部品が取り付けられ、下端部にアウト口１２が設けられている。
【００１２】
前枠２の前面（表面）における上記ガラス扉５の下側には、上球皿６が左端のヒンジ機構２２（図２を参照）により横開きおよび着脱可能に取り付けられ、常には右側に設けられたロック機構２３（図２を参照）によりガラス扉５の下側において前枠２の前面を覆った状態で係止保持されている。また、図２に示すように、上球皿６に前面側が覆われた前枠２の下部領域には遊技補助盤２５と称される補助機構部が形成されており、この遊技補助盤２５には、遊技盤１０の遊技領域ＰＡ内に遊技球を発射する遊技球発射装置２６等が設けられている。なお、図１に示すように、上球皿６の右端は前枠２の右端より左方（内方）に位置するようになっており、前枠２の下部領域における上球皿６の右方および下方には、ガラス扉５や上球皿６に前面側を覆われない露出部２７が形成される。
【００１３】
前枠２の前面（表面）における上球皿６の下方、すなわち露出部２７の下側には、図１に示すように、下球皿７が前方に突出して設けられている。この下球皿７は、上球皿６に貯留された遊技球（賞球）がオーバーフローしたときや、遊技者が上球皿６の球抜きレバー６ａを操作して上球皿６から遊技球を抜いたときに、前枠２側に形成された球皿通路２８および下球皿出口２９を介して送られてくる遊技球を受容して貯留するようになっている。また、下球皿７の右側には、遊技球の発射操作を行う発射ハンドル８が取り付けられている。なお、上球皿６の右方、すなわちガラス扉５の右下方に位置する露出部２７の右側には、施錠装置５０の錠６０が配設されている。
【００１４】
前枠２の背面（裏面）上部には、図３に示すように、外枠１の背面側における右上部内側の形状に合わせて逆Ｌ字形に形成された第１裏セット盤４０がヒンジ機構（図示せず）により横開き開閉および着脱可能に取り付けられ、常には前枠２の背面右上部を覆う閉鎖状態に保持される。第１裏セット盤４０には、遊技球を貯留するとともに貯留した遊技球を整列させて流下させる球貯留タンク４１、入賞状態等に基づいて遊技球を払い出す球払出装置４２、球払出装置４２から払い出された遊技球を上球皿６に導く球払出通路４３等の遊技球の処理機構が設けられている。
【００１５】
前枠２の背面（裏面）下部には、前枠２の背面下部を覆う第２裏セット盤４５がヒンジ機構（図示せず）により横開き開閉および着脱可能に取り付けられ、常には前枠２の背面下部を覆う閉鎖状態に保持される。第２裏セット盤４５には、各制御装置および電子部品等に電力を供給する電源ユニット４６や、遊技球の払出作動を制御する球払出制御装置４７、パチンコ機ＰＭの作動を統括的に制御する主制御装置（図示せず）等が取り付けられており、これらが図示しないコネクタケーブルで接続されてパチンコ機ＰＭが作動可能に構成される。
【００１６】
パチンコ機ＰＭは、ガラス扉５、上球皿６、第１および第２裏セット盤４０，４５等が閉鎖保持された状態で遊技に供され、上球皿６に遊技球を貯留させて発射ハンドル８を回動操作することにより遊技が開始される。発射ハンドル８が回動操作されると、上球皿６に貯留された遊技球は、上球皿６の裏面側に位置する遊技球発射装置２６により１球ずつ遊技領域ＰＡに打ち出され、パチンコゲームが展開される。
【００１７】
次に、施錠装置５０について図４〜図５を追加参照しながら説明する。ここで、図４は施錠装置５０の右側面図、図５は施錠装置５０の背面図である。施錠装置５０は、図４および図５に示すように、前枠２の右側部背面（裏面）側に固定配設された基枠体５１と、この基枠体５１に対して上下方向へ昇降移動自在に取り付けられた第１昇降作動杆５３と、基枠体５１の立設面と第１昇降作動杆５３との間に摺動自在に挟持されて上下方向へ昇降移動自在な第２昇降作動杆６３と、基枠体５１の前面側に固定配設され、図１に示すように前枠２前面の右側部側でガラス扉５の下方に鍵穴部６１が露出配設される錠６０等から構成されている。
【００１８】
基枠体５１は、図４および図５に示すように、例えば薄板板金材料を打ち抜き及びプレス成形して概略Ｌ字断面の所要形状に成形され、ネジ等の図示せぬ固定手段で前枠２の右側部背面（裏面）側に固定配設される。図４に示すように、基枠体５１の下端部近傍には、外枠１の右内側面に設けられたレール（図示せず）上を転がり移動可能なローラ５２が配設されており、外枠１に対して前枠２を開閉し易いようになっている。
【００１９】
第１昇降作動杆５３は、図４に示すように、基枠体５１と同様の成形加工により板状に成形され、各昇降作動杆５３，６３の所定箇所に形成された第１の長穴部５３ａを嵌通して基枠体５１に固着された第１案内ピン５４を用いて、基枠体５１に対し上下方向へ昇降移動可能に取り付けられる。第１昇降作動杆５３の上下端部には、第１フック部５５，５５が後方へ延びるように形成されており、第１昇降作動杆５３と一体に下方へ変位したときに、図４に示すように、外枠１の右内側面に設けられた上下の第１受け具５６，５６とそれぞれ係合可能に構成されている。
【００２０】
基枠体５１と第１昇降作動杆５３とに跨って第１付勢バネ５７が配設されており、第１昇降作動杆５３を常時下方へ付勢するようになっている。このため、常には上下の第１フック部５５，５５が第１受け具５６，５６とそれぞれ係合して、外枠１に対し前枠２を閉鎖保持する施錠保持状態が維持され、第１昇降作動杆５３とともに上下の第１フック部５５，５５を上動させて第１受け具５６，５６との係合を解離させることで、前枠２を外枠１に対して開放させることができるように構成されている。
【００２１】
第２昇降作動杆６３は、図４に示すように、基枠体５１と同様の成形加工により板状に成形され、基枠体５１の立設面と第１昇降作動杆５３との間に摺動自在に挟持されるとともに、各昇降作動杆５３，６３の所定箇所に形成された第２の長穴部６３ａを嵌通して基枠体５１に固着された第２案内ピン６４を用いて、基枠体５１の立設面と第１昇降作動杆５３との間に昇降移動自在に取り付けられる。第２昇降作動杆６３の上下には、第２フック部６５，６５が前方へ延びるように形成されており、第２昇降作動杆６３と一体に上方へ変位したときに、図４に示すように、ガラス扉５の右内側面に設けられた上下の第２受け具６６，６６とそれぞれ係合可能に構成されている。なお、上下の第２フック部６５，６５は、前枠２の右側上下に形成されたフック通過穴（図示せず）を通過して、図２に示すように、前枠２の右側部前面側に突出するようになっている。
【００２２】
基枠体５１と第２昇降作動杆６３とに跨って第２付勢バネ６７が配設されており、第２昇降作動杆６３を常時上方へ付勢するようになっている。このため、常には上下の第２フック部６５，６５が第２受け具６６，６６とそれぞれ係合して、前枠２に対しガラス扉５を閉鎖保持する施錠保持状態が維持され、第２昇降作動杆６３とともに上下の第２フック部６５，６５を下動させて第２受け具６６，６６との係合を解離させることで、ガラス扉５を前枠２に対して開放させることができるように構成されている。また、第２フック部６５，６５の上方には、前方へ突出するように形成されて先端部が前方へ向かうにつれて上方へ傾斜する突起部６８，６８がそれぞれ形成されており、第２昇降作動杆６３と一体に下方へ変位したときに、上下の突起部６８，６８が第２フック部６５，６５との係合が解離された第２受け具６６，６６にそれぞれ当接して前方へ押圧し、ガラス扉５を前枠２に対して開放させるように構成されている。
【００２３】
錠６０は一般に「ダブル錠」とも呼ばれている形態の錠が使用されている。この錠６０はいわゆる解錠操作型の錠であり、解錠操作が行われていない状態において錠６０の回動軸が中立角度位置に付勢保持されている。錠６０に適合する鍵が前枠前面に露出する錠６０の鍵穴部６１（図１を参照）に嵌挿される（差し込まれる）と、錠６０の回動軸が回動可能な状態に設定され、鍵を右回りまたは左回りの二方向に回動操作することが可能になる。図４および図５に示すように、この回動軸の軸端に解錠盤６２が固定されている。
【００２４】
解錠盤６２はカム盤とも称され、図５に示すように、薄板板金材料をプレス成形して図示するような二つの突出端部、すなわち第１突出端部６２ａおよび第２突出端部６２ｂを有する所定のカム形状に形成されている。このうち第１突出端部６２ａは前枠２を解錠させる作動端としての機能を有し、その先端上面が第１昇降作動杆５３に形成された第１係合穴部（図示せず）と係合可能に設定されている。また、第２突出端部６２ｂはガラス扉５を解錠させる作動端としての機能を有し、その先端下面が第１昇降作動杆に形成された第１係合穴部を通して第２昇降作動杆６３に形成された第２係合穴部（図示せず）と係合可能に設定されている。
【００２５】
このため、例えば、前枠前面側から鍵により右回り（時計回り）に解錠操作を行ったときには、解錠盤６２が図５における左回り（反時計回り）に回動され、第１突出端部６２ａの先端上面が第１昇降作動杆５３における第１係合孔部（図示せず）の開口端面と係合して第１昇降作動杆５３を上昇方向に移動可能となる。従って、この係合位置から第１付勢バネ５７の付勢力に抗して第１昇降作動杆５３を上動させることにより、上下の第１フック部５５，５５を上動させて第１受け具５６，５６との係合を解離させ、前枠２を外枠１に対して開放させることができる。
【００２６】
一方、前枠前面側から鍵により左回り（反時計回り）に解錠操作を行ったときには、解錠盤６２が図５における右回り（時計回り）に回動され、第２突出端部６２ｂの先端下面が第２昇降作動杆６３における第２係合穴部（図示せず）の開口端面と係合して第２昇降作動杆６３を下降方向に移動可能となる。従って、この係合位置から第２付勢バネ６７の付勢力に抗して第２昇降作動杆６３を下動させることにより、上下の第２フック部６５，６５を上動させて第２受け具６６，６６との係合を解離させるとともに、上下の突起部６８，６８を第２フック部６５，６５との係合が解離された第２受け具６６，６６に当接させ、ガラス扉５を前枠２に対して開放させることができる。
【００２７】
このように構成されるパチンコ機ＰＭの施錠装置５０において、前述したように、錠６０の鍵穴部６１が前枠２における露出部２７の右側、すなわち、前枠２の右側部側でガラス扉５の下方に位置して配設されている（図１を参照）。これにより、ガラス扉５の後方に位置する遊技盤１０（遊技領域ＰＡ）を従来のものより拡大することが可能となり、遊技盤１０の設計自由度を向上させることができる。
【００２８】
図１に示すように外枠１に対し前枠２を閉じると、前枠２側の第１フック部５５，５５が外枠１側の第１受け具５６，５６とそれぞれ係合して、外枠１に対し前枠２を閉鎖保持する施錠保持状態が維持される。また、図１に示すように前枠２に対しガラス扉５を閉じると、前枠２側の第２フック部６５，６５がガラス扉５側の第２受け具６６，６６とそれぞれ係合して、前枠２に対しガラス扉５を閉鎖保持する施錠保持状態が維持される。
【００２９】
そして、錠６０に適合する鍵（図示せず）を錠６０の鍵穴部６１に差し込んで、鍵により右回り（時計回り）に解錠（回動）操作を行うと、前述のように、第１フック部５５，５５と第１受け具５６，５６との係合が解離されて前枠２が解錠され、図３に示すように前枠２を外枠１に対して開放させることができる。一方、鍵により左回り（反時計回り）に解錠（回動）操作を行うと、前述のように、第２フック部６５，６５と第２受け具６６，６６との係合が解離されてガラス扉５が解錠され、図２に示すようにガラス扉５を前枠２に対して開放させることができる。
【００３０】
以上のような構成のパチンコ機ＰＭの施錠装置５０によれば、鍵穴部６１が前枠２の右側部側でガラス扉５の下方に位置して配設されるため、ガラス扉５の後方に位置する遊技盤１０（遊技領域ＰＡ）を従来のものより拡大することが可能となり、遊技盤１０の設計自由度を向上させることができる。
【００３１】
なお、上述の実施形態において、錠６０の鍵穴部６１が前枠２の右側部側でガラス扉５の下方に位置して配設されているが、これに限られるものではなく、前枠２の左側部側でガラス扉５の下方に位置して配設されるようにしてもよい。なおこのとき、前枠２が外枠１の右側部に開閉可能に支持されるとともに、ガラス扉５や上球皿６が前枠２の右側部に開閉可能に支持されていることが好ましい。
【００３２】
また、上述の実施形態において、鍵を右回り（時計回り）に回動させることで前枠２を解錠するとともに、鍵を左回り（反時計回り）に回動させることでガラス扉５を解錠するように構成されているが、これに限られるものではなく、鍵を左回り（反時計回り）に回動させることで前枠２を解錠するとともに、鍵を右回り（時計回り）に回動させることでガラス扉５を解錠するように構成されてもよい。
【００３３】
さらに、上述の実施形態において、本発明に係る施錠装置５０がパチンコ機ＰＭに設けられているが、これに限られるものではなく、例えば、アレンジボール機や雀球遊技機等の弾球遊技機に設けられてもよい。
【図面の簡単な説明】
【００３４】
【図１】本発明に係る施錠装置を備えたパチンコ機を正面側から見た斜視図である。
【図２】上記パチンコ機のガラス扉および上球皿を開放して示す斜視図である。
【図３】上記パチンコ機の前枠を外枠に対して開放した状態を示す斜視図である。
【図４】施錠装置の右側面図である。
【図５】施錠装置の背面図である。
【符号の説明】
【００３５】
ＰＭ  パチンコ機（弾球遊技機）
ＰＡ  遊技領域
１  外枠
２  前枠
５  ガラス扉
１０  遊技盤
５０  施錠装置
６０  錠
６１  鍵穴部
【図１】
2006181003.tif 000003
【図２】
2006181003.tif 000004
【図３】
2006181003.tif 000005
【図４】
2006181003.tif 000006
【図５】
2006181003.tif 000007